(57)【要約】【課題】アシスト装置のメンテナンスがしやすいショーケースを提供する。【解決手段】ショーケース１は、陳列室Ｒ１を有するケース本体１０と、扉上部２１と扉前部２２を有し、扉上部２１の後端部が第１軸Ａ１を中心に回動可能にケース本体１０に支持されて陳列室Ｒ１の前側を開閉する扉２０と、ケース本体１０の上部に配置され、扉上部２１に扉２０が開く方向の力を付与して扉２０の開閉をアシストするアシスト装置５０とを備える。アシスト装置５０は、扉２０が閉じられた状態において前後方向に延び、扉上部２１の下側で扉上部２１に沿って配置され、第１軸Ａ１に平行な第２軸Ａ２を中心に回動可能にケース本体１０に連結され、第１軸Ａ１に平行な第３軸Ａ３を中心に回動可能に扉上部２１に連結されている。第２軸Ａ２は、第１軸Ａ１の前方かつ下方に配置され、第３軸Ａ３は、扉２０が閉じられた状態のときに第２軸Ａ２の前方に配置される。【選択図】図１
0003192813.tif 000002
【実用新案登録請求の範囲】
【請求項１】
物品が陳列される陳列室を有するケース本体と、
閉じられた状態のときに前記ケース本体の上側を覆う扉上部と前記ケース本体の前側を覆う扉前部とを有し、前記扉上部の後端部が左右方向に延びる第１軸を中心に回動可能に前記ケース本体に支持されて前記陳列室の前側を開閉する扉と、
前記ケース本体の上部に配置され、前記扉上部に前記扉が開く方向の力を付与して前記扉の開閉をアシストするアシスト装置と、を備え、
前記アシスト装置は、前記扉が閉じられた状態において前後方向に延び、前記扉上部の下側で前記扉上部に沿って配置され、前記第１軸に平行な第２軸を中心に回動可能に前記ケース本体に連結され、前記第１軸に平行な第３軸を中心に回動可能に前記扉上部に連結されており、
前記第２軸は、前記第１軸の前方かつ下方に配置され、前記第３軸は、前記扉が閉じられた状態のときに前記第２軸の前方に配置されることを特徴とするショーケース。
【請求項２】
前記アシスト装置は、前記扉を任意の位置で保持可能に構成されていることを特徴とする請求項１に記載のショーケース。
【請求項３】
前記扉は、閉じた状態から所定の角度開いた状態となるまでは、開いた角度が大きいほど前記第１軸と当該扉の重心との水平距離が大きくなり、前記所定の角度開いた状態から完全に開いた状態となるまでは、開いた角度が大きいほど前記水平距離が小さくなるように配置されていることを特徴とする請求項２に記載のショーケース。
【請求項４】
前記扉は、左右方向に並んで複数設けられ、各扉が独立して前記陳列室を開閉可能に構成されていることを特徴とする請求項１から請求項３のいずれか１項に記載のショーケース。
【請求項５】
前記ケース本体は、左右方向に延びて、前記第１軸を中心に回動可能に前記扉上部を支持するとともに前記第２軸を中心に回動可能に前記アシスト装置を支持する梁部と、左右方向に並んで配置されて前記梁部を支持する第１の柱および第２の柱とを有し、
前記アシスト装置は、前記第１の柱と前記第２の柱の間に配置されていることを特徴とする請求項１から請求項４のいずれか１項に記載のショーケース。
【請求項６】
前記アシスト装置は、左右方向に並んで複数設けられていることを特徴とする請求項１から請求項５のいずれか１項に記載のショーケース。
【請求項７】
前記アシスト装置は、スプリングステーを含むことを特徴とする請求項１から請求項６のいずれか１項に記載のショーケース。
【請求項８】
前記陳列室内を冷却する冷却装置を備えることを特徴とする請求項１から請求項７のいずれか１項に記載のショーケース。
【考案の詳細な説明】
【技術分野】
【０００１】
本考案は、物品が陳列される陳列室の前側を開閉するための扉を備えたショーケースに関する。
【背景技術】
【０００２】
従来より、ショーケースとして、陳列室の前側を開閉するための扉を備えたものが知られている。例えば、特許文献１には、閉じられた状態のときに陳列室の前側および上側を覆う扉が後端部を支点に回動可能にケース本体に支持され、この扉を回動させることで陳列室の前側を開閉することができるように構成されたショーケースが開示されている。
【先行技術文献】
【特許文献】
【０００３】
【特許文献１】特許第４３６６５２５号公報
【考案の概要】
【考案が解決しようとする課題】
【０００４】
ところで、従来技術は、扉の開閉をアシストするアシスト装置（ドア−ホルダ−キット）が、ケース本体の後部に形成された左右の柱内に収容されていたため、アシスト装置のメンテナンスがしにくいという問題があった。
【０００５】
そこで、本考案は、アシスト装置のメンテナンスがしやすいショーケースを提供することを目的とする。
【課題を解決するための手段】
【０００６】
前記目的を達成するため、本考案のショーケースは、物品が陳列される陳列室を有するケース本体と、閉じられた状態のときに前記ケース本体の上側を覆う扉上部と前記ケース本体の前側を覆う扉前部とを有し、前記扉上部の後端部が左右方向に延びる第１軸を中心に回動可能に前記ケース本体に支持されて前記陳列室の前側を開閉する扉と、前記ケース本体の上部に配置され、前記扉上部に前記扉が開く方向の力を付与して前記扉の開閉をアシストするアシスト装置と、を備え、前記アシスト装置は、前記扉が閉じられた状態において前後方向に延び、前記扉上部の下側で前記扉上部に沿って配置され、前記第１軸に平行な第２軸を中心に回動可能に前記ケース本体に連結され、前記第１軸に平行な第３軸を中心に回動可能に前記扉上部に連結されており、前記第２軸は、前記第１軸の前方かつ下方に配置され、前記第３軸は、前記扉が閉じられた状態のときに前記第２軸の前方に配置されることを特徴とする。
【０００７】
このような構成によれば、扉を開いたときにはアシスト装置が露出するため、アシスト装置のメンテナンスがしやすくなる。
【０００８】
前記したショーケースにおいて、前記アシスト装置は、前記扉を任意の位置で保持可能に構成することができる。
【０００９】
これによれば、ショーケースの使い勝手を向上させることができる。
【００１０】
前記したショーケースにおいて、前記扉は、閉じた状態から所定の角度開いた状態となるまでは、開いた角度が大きいほど前記第１軸と当該扉の重心との水平距離が大きくなり、前記所定の角度開いた状態から完全に開いた状態となるまでは、開いた角度が大きいほど前記水平距離が小さくなるように配置されている構成とすることができる。
【００１１】
これによれば、所定の角度開いた状態から完全に開いた状態となるまでの、重力によって扉に作用するトルクを徐々に小さくできるので、例えば、自然長に近づくにつれてバネ力が徐々に小さくなるようなバネなどによっても、扉を支えることが可能となる。その結果、扉を任意の位置で保持する機構をバネの設定によって実現することが比較的容易となる。
【００１２】
前記したショーケースにおいて、前記扉は、左右方向に並んで複数設けられ、各扉が独立して前記陳列室を開閉可能に構成することができる。
【００１３】
これによれば、各扉を比較的小さいサイズとすることができるので、扉の開閉を容易に行うことができる。また、扉の開閉を容易に行うことができることで、ショーケースの用途を広げることができる。
【００１４】
前記したショーケースにおいて、前記ケース本体は、左右方向に延びて、前記第１軸を中心に回動可能に前記扉上部を支持するとともに前記第２軸を中心に回動可能に前記アシスト装置を支持する梁部と、左右方向に並んで配置されて前記梁部を支持する第１の柱および第２の柱とを有し、前記アシスト装置は、前記第１の柱と前記第２の柱の間に配置されている構成とすることができる。
【００１５】
これによれば、アシスト装置が配置されるケース本体の上部のスペースを有効に利用することができる。
【００１６】
前記したショーケースにおいて、前記アシスト装置は、左右方向に並んで複数設けられている構成とすることができる。
【００１７】
これによれば、小型のアシスト装置の採用または各アシスト装置の小型化が可能となるので、アシスト装置を配置するための、ケース本体の上部のスペースの省スペース化を図ることができる。
【００１８】
前記したショーケースにおいて、前記アシスト装置は、一例としてスプリングステーを含む構成とすることができる。
【００１９】
前記したショーケースは、前記陳列室内を冷却する冷却装置を備える構成とすることができる。
【００２０】
これによれば、アシスト装置のメンテナンスがしやすいショーケースを、冷蔵ショーケースとして利用することができる。
【考案の効果】
【００２１】
本考案によれば、扉を開くことでアシスト装置が露出するので、アシスト装置のメンテナンスがしやすくなる。
【図面の簡単な説明】
【００２２】
【図１】第１実施形態に係るショーケースを示す断面図である。
【図２】第１実施形態に係るショーケースの扉を開いた状態を示す断面図である。
【図３】第１実施形態に係るショーケースの扉を開いた状態を示す正面図である。
【図４】第１実施形態に係るショーケースのアシスト装置付近を拡大して示す断面図である。
【図５】扉角度とバネ力の関係を示す図（ａ）と、扉角度と作用距離の関係を示す図（ｂ）と、扉角度と支持トルクの関係を示す図（ｃ）である。
【図６】第２実施形態に係るショーケースを示す断面図である。
【図７】第２実施形態に係るショーケースの扉を開いた状態を示す断面図である。
【図８】第２実施形態に係るショーケースを示す斜視図である。
【図９】第２実施形態に係るショーケースの一部の扉を開いた状態を示す斜視図である。
【考案を実施するための形態】
【００２３】
［第１実施形態］
次に、第１実施形態について、適宜図面を参照しながら詳細に説明する。
図１に示すように、ショーケース１は、ケース本体１０と、ケース本体１０の前側および上側を覆う扉２０と、ケース本体１０の後部に設けられた背面戸３０と、陳列室Ｒ１内を冷却する冷却装置４０と、アシスト装置５０とを主に備えている。
【００２４】
ケース本体１０は、陳列室Ｒ１と、冷却室Ｒ２と、機械室Ｒ３とを有している。
陳列室Ｒ１は、菓子などの物品が陳列される部屋であり、物品を置くための底板１１や棚１２などが設けられている。陳列室Ｒ１の前側および後側は開放されており、前側は扉２０によって開閉され（図２参照）、後側は背面戸３０によって開閉される。
【００２５】
冷却室Ｒ２は、冷却装置４０を構成する蒸発器４１やファン４２などが配置される部屋であり、陳列室Ｒ１の下に設けられている。冷却室Ｒ２と陳列室Ｒ１は、底板１１の前後に設けられた通気孔（符号省略）によって互いに連通している。冷却室Ｒ２内で蒸発器４１によって冷やされた空気は、ファン４２によって形成される気流により、後側の通気孔を通って陳列室Ｒ１内に供給される。また、陳列室Ｒ１内の空気は、ファン４２によって形成される気流により、前側の通気孔を通って冷却室Ｒ２内に戻るようになっている。
【００２６】
機械室Ｒ３は、冷却装置４０を構成する冷凍機４３などが配置される部屋であり、冷却室Ｒ２の下に設けられている。冷凍機４３は、公知の構成を有する図示しない圧縮機や凝縮器などを備えている。
【００２７】
ケース本体１０は、陳列室Ｒ１を形成するショーケース部１０Ａと、冷却室Ｒ２および機械室Ｒ３を形成し、ショーケース部１０Ａを下から支持するように設けられた台部１０Ｂとを有している。
【００２８】
ショーケース部１０Ａは、左右方向に延びる梁部１４と、梁部１４を支持する支持柱１５と、陳列室Ｒ１の左右の壁を構成する透明な側面ガラス１６とを主に有している。
【００２９】
梁部１４は、ケース本体１０の上部を構成する部材であり、その上面に、扉２０が閉じられた状態のときにアシスト装置５０が配置される凹部１４Ａを有している。梁部１４の後側の壁は、第１軸Ａ１を中心に回動可能に扉２０を支持するとともに、第２軸Ａ２を中心に回動可能にアシスト装置５０を支持している。
【００３０】
図３に示すように、支持柱１５は、ショーケース部１０Ａの後部において左右両端と中央に１つずつ、合計３つ設けられており、左右方向に等間隔に並んで配置されている。なお、支持柱の数は３つに限定されるものではなく、例えば、ショーケースのサイズなどに応じて、左右両端の２つだけとしてもよいし、４つ以上としてもよい。
【００３１】
図１に戻り、扉２０は、陳列室Ｒ１の前側を開閉する扉であり、閉じられた状態のときに、ケース本体１０の上側を覆う扉上部２１と、ケース本体１０の前側を覆う扉前部２２とを有している。扉前部２２には、透明なガラスが嵌め込まれており、扉２０が閉じられた状態のときに前側から陳列室Ｒ１内を視認可能としている。
【００３２】
扉２０は、扉上部２１の後端部が左右方向に延びる第１軸Ａ１を中心に回動可能にケース本体１０の梁部１４の後側の壁に支持されている。これにより、扉２０は、扉前部２２を上下に移動させることで、陳列室Ｒ１の前側を、図２に示すように開いたり、図１に示すように閉じたりすることが可能となっている。
【００３３】
また、図２に示すように、扉２０は、閉じた状態から所定の角度θ１開いた状態（扉２０の重心Ｇが第１軸Ａ１と同じ高さ位置）となるまでは、開いた角度が大きいほど第１軸Ａ１と扉２０の重心Ｇとの水平方向の距離である水平距離が大きくなり、所定の角度θ１開いた状態から完全に開いた状態となるまでは、開いた角度が大きいほど第１軸Ａ１と扉２０の重心Ｇとの水平距離が小さくなるように配置されている。
【００３４】
背面戸３０は、陳列室Ｒ１の後側を開閉する扉である。より詳細に、背面戸３０は、図３に示すように、隣り合う支持柱１５の間に形成される開口（符号省略）の内側に２つずつ設けられ、同じ開口に設けられた他方の背面戸３０と引き違いに開閉可能となるように、左右方向にスライド移動可能に支持されている。これにより、背面戸３０は、左右にスライド移動させることで、陳列室Ｒ１の後側を開いたり、閉じたりすることが可能となっている。なお、背面戸３０は、枠体に透明なガラスが嵌め込まれた構成であってもよいし、金属製の板などから形成されたガラスを備えない構成であってもよい。
【００３５】
アシスト装置５０は、扉２０の開閉をアシストする装置であり、ケース本体１０の上部に配置されている。
【００３６】
本実施形態において、アシスト装置５０は、左右方向に並んで８つ設けられている。８つのアシスト装置５０のうち、左右両端のアシスト装置５０を除いた６つのアシスト装置５０（５０Ｂ，５０Ｃ）は、左右方向で支持柱１５と重ならないように、隣り合う支持柱１５の間に配置されている。より詳細に、左右方向中央よりも左側に配置された３つのアシスト装置５０Ｂは、第１の柱の一例としての左側の支持柱１５Ｌと、第２の柱の一例としての中央の支持柱１５Ｃとの間に配置されている。また、左右方向中央よりも右側に配置された３つのアシスト装置５０Ｃは、第１の柱の他の例としての右側の支持柱１５Ｒと、中央の支持柱１５Ｃ（第２の柱）との間に配置されている。なお、アシスト装置の数は８つに限定されるものではなく、例えば、扉の重さやアシスト装置のアシスト力などに応じて、適宜変更することができる。
【００３７】
図４に示すように、各アシスト装置５０は、二点鎖線で示す扉２０が閉じられた状態において略前後方向に延び、扉上部２１の下側で扉上部２１に沿って配置される。各アシスト装置５０は、ロッド５１と、ロッド５１をスライド移動可能に保持するシリンダ５２と、第１連結部材５３と、第２連結部材５４と、シリンダ５２内に配置された図示しないバネとを主に有している。第１連結部材５３は、第２軸Ａ２を中心に回動可能にロッド５１の一端部に連結され、第２連結部材５４は、第２軸Ａ２に平行な第３軸Ａ３を中心に回動可能にシリンダ５２の一端部に連結されている。
【００３８】
アシスト装置５０は、第２軸Ａ２および第３軸Ａ３が左右方向に沿うように、第１連結部材５３が梁部１４の後側の壁に固定され、第２連結部材５４が扉上部２１の前端部に固定されている。これにより、アシスト装置５０は、ロッド５１が第１軸Ａ１に平行な第２軸Ａ２を中心に回動可能にケース本体１０に連結され、シリンダ５２が第１軸Ａ１に平行な第３軸Ａ３を中心に回動可能に扉上部２１に連結されている。
【００３９】
第２軸Ａ２は、第１軸Ａ１の前方かつ下方、具体的には、第１軸Ａ１の前斜め下に配置されている。また、第３軸Ａ３は、二点鎖線で示す扉２０が閉じられた状態のときには第２軸Ａ２の前方に配置され、実線で示す扉２０が開いた状態のときには第２軸Ａ２の上方に配置される。
【００４０】
アシスト装置５０は、シリンダ５２内のバネが、ロッド５１をシリンダ５２内から押し出す方向（図４の第２軸Ａ２と第３軸Ａ３とを結ぶ直線Ｌが延びる方向）に付勢するように設けられ、各アシスト装置５０のバネの力によって扉上部２１に扉２０が開く方向の力を付与して扉２０の開閉をアシストするように構成されている。これにより、扉２０がアシスト装置５０によって支えられることになるので、比較的小さな力で扉２０を開閉することができる。
【００４１】
また、アシスト装置５０は、扉２０を任意の位置で保持可能に構成されている。具体的に、アシスト装置５０は、扉２０を任意の位置で保持することができるように、重力によって扉２０に作用するトルク（以下、「扉トルク」という。）と、アシスト装置５０が扉２０を支えるトルク（以下、「支持トルク」という。）とが略等しくなるように構成されている。
【００４２】
図２を用いて説明したとおり、扉２０は、閉じた状態から角度θ１開いた状態となるまでは、開いた角度（以下、「扉角度」といい、閉じた状態を０°とする。）が大きいほど第１軸Ａ１と重心Ｇとの水平距離が大きくなり、角度θ１開いた状態から完全に開いた状態となるまでは、扉角度が大きいほど第１軸Ａ１と重心Ｇとの水平距離が小さくなるように配置されている。そのため、扉トルクは、扉２０が閉じた状態から角度θ１開いた状態となるまでは、扉角度が大きいほどが大きくなり、角度θ１開いた状態から完全に開いた状態となるまでは、扉角度が大きいほど小さくなる傾向（参考として図５（ｃ）のような傾向）を示す。
【００４３】
一方、支持トルクは、摩擦などの影響を無視すると、各アシスト装置５０のバネによって発生するバネ力に、図４に示す第１軸Ａ１と直線Ｌとの距離である作用距離を掛けたモーメントとなる。
【００４４】
一例として、図４および図５（ａ）に示すように、バネ力は、例えば、圧縮コイルバネの場合、扉角度が大きいほど、言い換えれば、ロッド５１のシリンダ５２内からの突出量が大きいほど、バネが圧縮された状態から伸びて自然長に近づくため、小さくなる傾向を示す。また、図４および図５（ｂ）に示すように、作用距離は、扉２０が閉じた状態から破線で示す角度θ２開いた状態となるまで（作用距離が、第１軸Ａ１と第２軸Ａ２との距離である軸間距離Ｄ１２と等しくなるまで）は、扉角度が大きいほどが大きくなり、角度θ２開いた状態から完全に開いた状態となるまでは、扉角度が大きいほど小さくなる傾向を示す。
【００４５】
このとき、図５（ｃ）に示すように、支持トルクは、扉２０が閉じた状態から角度θ２よりも小さい角度θ３開いた状態となるまでは、扉角度が大きいほどが大きくなり、角度θ３開いた状態から完全に開いた状態となるまでは、扉角度が大きいほど小さくなる傾向を示す。
【００４６】
ここで、図５（ａ）に一例を示した扉角度とバネ力の関係は、アシスト装置５０に用いるバネとして適当なものを選択したり、バネの初期荷重を調整したりすることなど、バネを設定することで調整することができる。また、図５（ｂ）に一例を示した扉角度と作用距離の関係は、軸間距離Ｄ１２および第１軸Ａ１に対する第２軸Ａ２の位置を変更することで調整することができる。
【００４７】
本実施形態では、アシスト装置５０は、図５（ｃ）に一例を示した支持トルクが、扉トルクと略等しくなる（略一致する）ように、バネと、軸間距離Ｄ１２および第１軸Ａ１に対する第２軸Ａ２の位置とが設定されている。なお、扉２０を任意の位置でより確実に保持するため、各アシスト装置５０は、例えば、ロッド５１とシリンダ５２との間に所定の摺動抵抗がある構成としてもよい。
【００４８】
以上説明した本実施形態のショーケース１によれば、図２や図３に示したように、扉２０を開いたときにはアシスト装置５０が手前側に露出するので、アシスト装置５０のメンテナンス、例えば、アシスト装置５０の整備や調整、部品の交換、アシスト装置５０自体の交換などがしやすくなる。
【００４９】
また、アシスト装置５０が扉２０を任意の位置で保持可能に構成されているので、例えば、扉２０を完全に開かなくても、物品の入れ替えや、陳列室Ｒ１内の清掃などができるため、ショーケース１の使い勝手を向上させることができる。
【００５０】
また、扉２０が、閉じた状態から角度θ１開いた状態となるまでは、扉角度が大きいほど第１軸Ａ１と重心Ｇとの水平距離が大きくなり、角度θ１開いた状態から完全に開いた状態となるまでは、扉角度が大きいほど第１軸Ａ１と重心Ｇとの水平距離が小さくなるように配置されているので、角度θ１開いた状態から完全に開いた状態となるまでの扉トルクを徐々に小さくできる。これにより、アシスト装置５０に用いるバネとして、自然長に近づくにつれてバネ力が徐々に小さくなるようなバネなどによっても、扉２０を支えることが可能となる。その結果、扉２０を任意の位置で保持する機構をバネの設定などによって実現することが比較的容易となる。
【００５１】
また、図３に示したように、アシスト装置５０（５０Ｂ，５０Ｃ）が隣り合う支持柱１５の間に配置されているので、アシスト装置５０が配置されるケース本体１０の上部のスペースを有効に利用することができる。これにより、例えば、アシスト装置５０を複数設けても、ショーケース１が不要に大型化することなどを抑制することができる。
【００５２】
また、アシスト装置５０が左右方向に並んで複数設けられているので、個々のアシスト装置５０のアシスト力が小さくても扉２０の開閉をアシストすることが可能となるため、小型のアシスト装置５０の採用、または、各アシスト装置５０の小型化が可能となる。その結果、アシスト装置５０を配置するための、ケース本体１０の上部のスペースの省スペース化を図ることができる。これにより、例えば、アシスト装置５０周辺が目立たなくなるため、ショーケース１の見栄えを向上させることができる。
【００５３】
また、ショーケース１が冷却装置４０を備えているので、アシスト装置５０のメンテナンスがしやすいなどといった上記した作用効果を奏するショーケース１を、冷蔵ショーケースとして利用することができる。
【００５４】
［第２実施形態］
次に、第２実施形態について、適宜図面を参照しながら詳細に説明する。なお、本実施形態では、前記した第１実施形態と同様の構成要素については、その詳細な説明を省略することとする。
【００５５】
図６に示すように、ショーケース２は、ケース本体１０と、扉２０と、背面戸３０と、図示しない冷却装置と、アシスト装置６０とを主に備えている。
【００５６】
ケース本体１０は、陳列室Ｒ１と、図示しない冷却室および機械室を有するほか、さらに、ストック室Ｒ４を有している（一部のみ図示）。ストック室Ｒ４は、ストック用の物品が収納される部屋であり、陳列室Ｒ１の下、より具体的には、陳列室Ｒ１と陳列室Ｒ１の下に設けられた冷却室との間に設けられている。陳列室Ｒ１、ストック室Ｒ４および冷却室は、互いに連通しており、冷却室内で冷やされた空気は、陳列室Ｒ１、ストック室Ｒ４および冷却室の間を循環するようになっている。また、ストック室Ｒ４は、背面戸３０を開閉することで、陳列室Ｒ１とともに後側が開閉される。
【００５７】
図６および図７に示すように、扉２０は、扉上部２１と扉前部２２とを有し、扉上部２１の後端部が第１軸Ａ１を中心に回動可能にケース本体１０に支持されて陳列室Ｒ１の前側を開閉する。図８に示すように、本実施形態において、扉２０は、左右方向に並んで３つ設けられ、図９に示すように、各扉２０（２０Ａ〜２０Ｃ）が独立して陳列室Ｒ１の前側を開閉可能に構成されている。なお、扉の数は、ショーケースの用途やサイズなどに応じて、２つとしてもよいし、４つ以上としてもよい。
【００５８】
アシスト装置６０は、ケース本体１０の上部に配置され、公知の構成を有するスプリングステー６１を含んで構成されている。スプリングステー６１は、各扉２０Ａ〜２０Ｃに対してそれぞれ複数設けられ、左右方向に並んで配置されている。各スプリングステー６１は、内蔵されたスプリングの反力によって扉上部２１に扉２０が開く方向の力を付与し、全体として対応する扉２０の開閉をアシストする。
【００５９】
スプリングステー６１は、図６に示すように、扉２０が閉じられた状態において前後方向に延び、扉上部２１の下側で扉上部２１に沿って配置されている。また、スプリングステー６１は、一端部が第１軸Ａ１に平行な第２軸Ａ２を中心に回動可能にケース本体１０に連結され、他端部が第１軸Ａ１に平行な第３軸Ａ３を中心に回動可能に扉上部２１に連結されている。
【００６０】
第２軸Ａ２は、第１軸Ａ１の前方かつ下方（第１軸Ａ１の前斜め下）に配置されている。また、第３軸Ａ３は、図６に示す扉２０が閉じられた状態のときには第２軸Ａ２の前方に配置され、図７に示す扉２０が開いた状態のときには第２軸Ａ２の上方に配置される。
【００６１】
なお、スプリングステー６１としては、例えば、スプリングステーＳ−ＡＴ型（スガツネ工業株式会社製）などを用いることができる。スプリングステーＳ−ＡＴ型は、扉の開閉をアシストする機能とともに、扉を任意の位置に保持する機能を有している。
【００６２】
以上説明した本実施形態のショーケース２によれば、各扉２０を開いたときにはアシスト装置６０（スプリングステー６１）が手前側に露出するので、アシスト装置６０のメンテナンスがしやすくなる。また、アシスト装置６０のメンテナンスがしやすくなること以外にも、前記した第１実施形態と略同様の作用効果を得ることができる。
【００６３】
また、本実施形態では、扉２０が左右方向に並んで複数設けられ、各扉２０Ａ〜２０Ｃが独立して陳列室Ｒ１を開閉可能に構成されているので、各扉２０Ａ〜２０Ｃを比較的小さいサイズとすることができるため、扉２０の開閉を容易に行うことができる。また、扉２０の開閉を容易に行えることで、ショーケース１を、例えば、ビュッフェ式のレストランの料理の陳列台などとしても用いることが可能となるため、ショーケース１の用途を広げることができる。
【００６４】
以上、実施形態について説明したが、本考案は前記実施形態に限定されるものではない。具体的な構成については、考案の趣旨を逸脱しない範囲で適宜変更が可能である。例えば、前記実施形態では、ショーケースの透明部分にガラスを採用したが、これに限定されず、例えば、透明な樹脂などを採用してもよい。
【００６５】
また、前記実施形態で示したアシスト装置の構成は一例であり、前記した構成に限定されるものではない。例えば、アシスト装置は、ガススプリングなどであってもよい。
【００６６】
また、前記実施形態では、アシスト装置が複数設けられていたが、これに限定されず、例えば、１つの扉に対してアシスト装置が１つだけ設けられる構成であってもよい。
【００６７】
また、前記実施形態では、ショーケースが冷却装置４０を備える冷蔵ショーケースとして構成された例を示したが、これに限定されず、例えば、物品としての腕時計や宝飾品などが陳列される、冷却装置を備えないショーケースであってもよい。
【符号の説明】
【００６８】
１      ショーケース
２      ショーケース
１０    ケース本体
１４    梁部
１５    支持柱
２０    扉
２１    扉上部
２２    扉前部
４０    冷却装置
５０    アシスト装置
６０    アシスト装置
６１    スプリングステー
Ａ１    第１軸
Ａ２    第２軸
Ａ３    第３軸
Ｇ      重心
Ｒ１    陳列室
【図１】
0003192813.tif 000003
【図２】
0003192813.tif 000004
【図３】
0003192813.tif 000005
【図４】
0003192813.tif 000006
【図５】
0003192813.tif 000007
【図６】
0003192813.tif 000008
【図７】
0003192813.tif 000009
【図８】
0003192813.tif 000010
【図９】
0003192813.tif 000011
【手続補正書】
【提出日】平成26年7月17日(2014.7.17)
【手続補正１】
【補正対象書類名】図面
【補正対象項目名】図２
【補正方法】変更
【補正の内容】
【図２】
0003192813.tif 000012